【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  並列に接続された第１抵抗と第２抵抗とに接続され、電気容量を有する制御回路が、前記第１抵抗と前記第２抵抗と前記電気容量とに基づく時定数をもとに、スイッチング周波数を制御してトランスの１次側に流れる電流を制御するスイッチング電源装置において、
前記トランスの２次側出力が分圧されてなる出力電圧を検出する検出手段と、
前記出力電圧を基準電圧と比較する比較手段と、
前記比較手段における比較の結果、前記出力電圧が前記基準電圧より高いときに、前記制御回路から流れる電流を導通するスイッチと、を備え、
前記第１抵抗は、前記スイッチと接続されて前記スイッチが電流を導通するときに電流が流れ、
前記第２抵抗は、第３抵抗と第４抵抗とが直列に接続されてなり、前記第３抵抗と前記第４抵抗との接続点から前記トランスの２次側出力に向けて電流が供給される、
ことを特徴とするスイッチング電源装置。
【手続補正２】
【補正対象書類名】明細書
【補正対象項目名】００１９
【補正方法】変更
【補正の内容】
【００１９】
【課題を解決するための手段】
上記課題を解決するために、本発明（請求項１）にかかるスイッチング電源装置は、並列に接続された第１抵抗と第２抵抗とに接続され、電気容量を有する制御回路が、前記第１抵抗と前記第２抵抗と前記電気容量とに基づく時定数をもとに、スイッチング周波数を制御してトランスの１次側に流れる電流を制御するスイッチング電源装置において、前記トランスの２次側出力が分圧されてなる出力電圧を検出する検出手段と、前記出力電圧を基準電圧と比較する比較手段と、前記比較手段における比較の結果、前記出力電圧が前記基準電圧より高いときに、前記制御回路から流れる電流を導通するスイッチと、を備え、前記第１抵抗は、前記スイッチと接続されて前記スイッチが電流を導通するときに電流が流れ、前記第２抵抗は、第３抵抗と第４抵抗とが直列に接続されてなり、前記第３抵抗と前記第４抵抗との接続点から前記トランスの２次側出力に向けて電流が供給される、ことを特徴とするものである。
【手続補正３】
【補正対象書類名】明細書
【補正対象項目名】００２０
【補正方法】削除
【補正の内容】
【手続補正４】
【補正対象書類名】明細書
【補正対象項目名】００２２
【補正方法】変更
【補正の内容】
【００２２】
【発明の実施の形態】
本発明の請求項１にかかるスイッチング電源装置は、並列に接続された第１抵抗と第２抵抗とに接続され、電気容量を有する制御回路が、前記第１抵抗と前記第２抵抗と前記電気容量とに基づく時定数をもとに、スイッチング周波数を制御してトランスの１次側に流れる電流を制御するスイッチング電源装置において、前記トランスの２次側出力が分圧されてなる出力電圧を検出する検出手段と、前記出力電圧を基準電圧と比較する比較手段と、前記比較手段における比較の結果、前記出力電圧が前記基準電圧より高いときに、前記制御回路から流れる電流を導通するスイッチと、を備え、前記第１抵抗は、前記スイッチと接続されて前記スイッチが電流を導通するときに電流が流れ、前記第２抵抗は、第３抵抗と第４抵抗とが直列に接続されてなり、前記第３抵抗と前記第４抵抗との接続点から前記トランスの２次側出力に向けて電流が供給される、ことを特徴とするものであり、過電流制御の誤差増幅器を用いることなく、定電圧制御の誤差増幅器のみで、フの字特性を実現することができるという作用がある
【手続補正５】
【補正対象書類名】明細書
【補正対象項目名】００２３
【補正方法】削除
【補正の内容】
【手続補正６】
【補正対象書類名】明細書
【補正対象項目名】００２６
【補正方法】変更
【補正の内容】
【００２６】
該直流出力電圧Ｖ０を分圧抵抗Ｒ２とＲ３で分圧した電圧と、定められた基準電圧Ｂ２とを誤差増幅器ＯＰ２に入力し、基準電圧Ｂ２よりも出力電圧分圧値が高いと、誤差増幅器ＯＰ２はその出力に接続したトランジスタＱ２をオンし、トランジスタＱ２のエミッタにつながる抵抗Ｒ１１（第１抵抗）に電流を流す。トランジスタＱ２のコレクタはスイッチングトランジスタＱ１を制御する制御回路５０に入力され、スイッチングトランジスタＱ１によるスイッチング周波数を、抵抗Ｒ１０と制御回路５０内部のコンデンサとの時定数で決定している。そのため、抵抗Ｒ１０は、抵抗値が大きいほど時定数が長くなってスイッチング周波数が下がり、抵抗Ｒ１０の値が小さいと、スイッチング周波数は高くなる。
【手続補正７】
【補正対象書類名】明細書
【補正対象項目名】００２８
【補正方法】変更
【補正の内容】
【００２８】
今回、電圧制御のための分圧抵抗（Ｒ２とＲ３）とは異なる、出力電圧を分圧する分圧抵抗Ｒ４とＲ５（第２抵抗を構成する第４抵抗）と、該両抵抗Ｒ４とＲ５の中点とトランジスタＱ２のコレクタとの間に接続した抵抗Ｒ９（第２抵抗を構成する第３抵抗）を追加している。抵抗Ｒ１０とで規定される周波数で、制御回路５０が動作しているとき、抵抗Ｒ１０の両端に、すなわちトランジスタＱ２のコレクタに、定められた電圧（Ｖｒ）が発生する。
【手続補正８】
【補正対象書類名】明細書
【補正対象項目名】００３２
【補正方法】変更
【補正の内容】
【００３２】
このような本実施の形態１のスイッチング電源装置においては、定電圧制御の誤差増幅器ＯＰ２を用いた出力電圧制御回路に、出力電圧分圧抵抗Ｒ４、Ｒ５、および抵抗Ｒ９を追加するだけで、良好なフの字特性を持った過電流保護回路を備えたスイッチング電源装置を提供することができる。
【手続補正９】
【補正対象書類名】明細書
【補正対象項目名】００３３
【補正方法】変更
【補正の内容】
【００３３】
【発明の効果】
以上のように、本発明のスイッチング電源装置によれば、並列に接続された第１抵抗と第２抵抗とに接続され、電気容量を有する制御回路が、前記第１抵抗と前記第２抵抗と前記電気容量とに基づく時定数をもとに、スイッチング周波数を制御してトランスの１次側に流れる電流を制御するスイッチング電源装置において、前記トランスの２次側出力が分圧されてなる出力電圧を検出する検出手段と、前記出力電圧を基準電圧と比較する比較手段と、前記比較手段における比較の結果、前記出力電圧が前記基準電圧より高いときに、前記制御回路から流れる電流を導通するスイッチと、を備え、前記第１抵抗は、前記スイッチと接続されて前記スイッチが電流を導通するときに電流が流れ、前記第２抵抗は、第３抵抗と第４抵抗とが直列に接続されてなり、前記第３抵抗と前記第４抵抗との接続点から前記トランスの２次側出力に向けて電流が供給される、ことを特徴とするものとしたので、定電圧制御の誤差増幅器を用いた出力電圧制御回路に抵抗を追加するだけで、良好なフの字特性を持った過電流保護回路を備えたスイッチング電源装置を提供することができる。
【手続補正１０】
【補正対象書類名】明細書
【補正対象項目名】符号の説明
【補正方法】変更
【補正の内容】
【符号の説明】
Ｃ２  入力用平滑コンデンサ
Ｑ１  スイッチングトランジスタ
Ｔ１  スイッチングトランス
Ｄ１  ２次側出力整流ダイオード
Ｃ１  ２次側出力平滑コンデンサ
Ｒ２、Ｒ３  出力電圧分圧抵抗
ＯＰ２  出力電圧制御用誤差増幅器
Ｂ１  基準電源
Ｑ２  トランジスタ
Ｒ１０  制御回路の発振周波数設定抵抗
Ｒ１１  出力電圧制御用抵抗（第１抵抗）
Ｒ４  正帰還用分圧抵抗
Ｒ５ 正帰還用分圧抵抗（第２抵抗を構成する第４抵抗）
Ｒ９  抵抗（第２抵抗を構成する第３抵抗）